(57)【特許請求の範囲】
【請求項１】
操作部（１２）を有する下側ユニット（２０、２０Ａ）と、表示部（１１）を有する上側ユニット（３０、３０Ａ）と、前記下側ユニットと前記上側ユニットとを開閉自在に結合するヒンジ部（１３、１３Ａ）と、複数のカメラ部と、電話機の各部の動作を制御する制御部（１０９）とを有する折り畳み型携帯電話機において、
前記表示部は前記下側ユニットに対して縦長状態又は横長状態となるように配置転換可能であり、
前記制御部は、前記表示部の配置転換に応じて前記複数のカメラ部の一方又は複数を動作させるよう、制御することを特徴とする折り畳み型携帯電話機。
【請求項２】
前記制御部（１０９）は、前記表示部の配置状態により、前記複数のカメラ部のうちの少なくとも１つを使用する撮影モードの選択を行う撮影モード選択手段（１１５，１１６）を有する請求項１に記載の折り畳み型携帯電話機。
【請求項３】
前記複数のカメラ部として、前記表示部が縦長状態にある場合には前記表示部の上下に、前記表示部が横長状態にある場合には前記表示部の左右に位置するように、前記上側ユニットに配置された一対の正面カメラ部（１７ａ、１７ｂ）を備える、請求項１又は２に記載の折り畳み型携帯電話機。
【請求項４】
前記複数のカメラ部として、前記上側ユニット（３０、３０Ａ）に配置されたひとつ又は複数の正面カメラ部（１７ａ、１７ｂ）と、前記上側ユニットの背面に配置された背面カメラ部（１８）とを備える、請求項１又は２に記載の折り畳み型携帯電話機。
【請求項５】
前記表示部が縦長状態にあるか横長状態にあるかを検出する検出手段（ＭＧ、１１１ａ，１１１ｂ，１１１ｃ、１１２；１１２Ａ）を備え、
前記制御部（１０９）は、前記検出手段からの検出信号に応じて、表示画面の向きに合わせて前記複数のカメラ部で撮像された表示内容を変換して前記表示部に表示する表示変換手段（１１４，１１５，１１６）を有する請求項１乃至４のいずれか１つに記載の折り畳み型携帯電話機。
【請求項６】
前記上側ユニット（３０）は、表示部ユニット（３２）と、支持部ユニット（３４）と、前記表示部ユニットと前記支持部ユニットとを電気的かつ構造的に結合すると共に前記表示部ユニットを前記支持部ユニットに対して回転可能とする回転機構（４０）とを有し、
前記表示部が縦長状態にある場合に、前記表示部ユニットを前記回転機構を用いて略９０°回転することによって前記表示部を横長状態にすることを特徴とする請求項１乃至５のいずれか１つに記載の折り畳み型携帯電話機。
【請求項７】
前記上側ユニット（３０）は、表示部ユニット（３２）と、支持部ユニット（３４）と、前記表示部ユニットと前記支持部ユニットとを電気的かつ構造的に結合すると共に前記表示部ユニットを前記支持部ユニットに対して回転・スライド可能とする回転／スライド機構（４０）とを有し、
前記表示部が縦長状態にある場合に、前記表示部ユニットを前記回転／スライド機構を用いて略９０°回転してスライドすることによって前記表示部を横長状態にすることを特徴とする請求項１乃至５のいずれか１つに記載の折り畳み型携帯電話機。
【請求項８】
前記検出手段が、前記表示部ユニットに配設されたマグネット（ＭＧ）と、前記支持部ユニットに配設された複数個の磁気センサ（１１１ａ，１１１ｂ，１１１ｃ）とを有する、請求項６又は７に記載の折り畳み型携帯電話機。
【請求項９】
前記ヒンジ部は前記上側ユニット（３０Ａ）を着脱自在に接続するヒンジ型コネクタ（１３Ａ）であり、該ヒンジ型コネクタは前記上側ユニットと接続するためのコネクタ側接続部（１３Ａａ）を有し、
前記上側ユニットはその下部側面および側方側面に前記コネクタ側接続部と接続するための複数のユニット側接続部（３０Ａａ，３０Ａｂ，３０Ａｃ）を持ち、
前記コネクタ側接続部と接続するユニット側接続部を変えることによって、前記表示部の縦長状態と横長状態とを切換えるようにしたことを特徴とする請求項１乃至５のいずれか１つに記載の折り畳み型携帯電話機。
【請求項１０】
前記制御部（１０９）は、前記表示部が横長状態にあって該表示部の近傍左右に前記一対の正面カメラ部が配置されたときに、前記一対の正面カメラ部により撮像された画像を３次元画像処理する３次元画像処理手段（１１５）を更に有する請求項３に記載の折り畳み型携帯電話機。
【請求項１１】
前記表示変換手段は、前記正面カメラ部と前記背面カメラ部とを使用して正面画像と背面画像とを分割表示するカメラモードを含む、請求項５に記載の折り畳み型携帯電話機。
【請求項１２】
前記複数のカメラ部の任意の一つをテレビ電話に使用するときに、通話相手先情報により、前記複数のカメラ部のうちの任意の一つのカメラ部を選択する選択手段（１２）を有する請求項６又は７に記載の折り畳み型携帯電話機。
【請求項１３】
前記表示部が横長状態にあって該表示部の近傍左右に前記一対の正面カメラ部が配置されている状態で、前記一対の正面カメラ部をテレビ電話用カメラとして用いる場合、電話相手先に応じて前記一対の正面カメラ部の一方を選択する選択手段（１２）を有する請求項３に記載の折り畳み型携帯電話機。
【請求項１４】
前記複数のカメラ部として、
前記表示部が縦長状態にある場合には前記表示部の上下に、前記表示部が横長状態にある場合には前記表示部の左右に位置するように、前記上側ユニットに配置された一対の正面カメラ部（１７ａ、１７ｂ）と、
前記ヒンジ型コネクタ（１３Ａ）の背面に設けられた背面カメラ部（１８）と
を備えることを特徴とする請求項９に記載の折り畳み型携帯電話機。
【請求項１５】
前記一対の正面カメラ部及び前記背面カメラ部の任意の一つをテレビ電話に使用するときに、通話相手先情報により、前記一対の正面カメラ部及び前記背面カメラ部のうちの任意の一つのカメラ部を選択する選択手段（１２）を有する請求項１４に記載の折り畳み型携帯電話機。
【発明の詳細な説明】
【０００１】
【発明の属する技術分野】
本発明は、折り畳み型携帯電話機に関し、特に、カメラ部を備えた折り畳み型携帯電話機に関する。
【０００２】
【従来の技術】
周知のように、携帯電話機は、近年、単に通話のみでなく、インターネット等のブラウザ、電子メール送受信端末、スケジュール管理等の機能を付加した携帯情報端末（ＰＤＡ：personal digital assistance）、音声・画像の記録/再生端末等として、様々に活用されるようになっている。
【０００３】
ここで、「ブラウザ」とは、データ群やオブジェクト群を一望して全体像を把握したり、目的の情報を取り出したりするのに用いるソフトウェアをいう。「電子メール」とは、コンピュータ・ネットワークを介して、パーソナル・コンピュータやワークステーションなどの端末同士が文字や音声といった情報をメール（手紙）の形で交換するシステムをいう。「携帯情報端末」とは、電子手帳またはパーソナルコンピュータの機能を有し、どこにでも携行していつでも使用できる端末を総称していう。
【０００４】
この種の携帯電話機は、一般に、表示部と、テンキーなどの操作部とを備えている。更に、カメラ部をも備えた携帯電話機も知られている。
【０００５】
しかしながら、従来の典型的な折り畳み構造の携帯電話機においては、表示部が縦長固定であるためにフレキシブル性が乏しく、使い勝手上の難点を有していた。例えば、横長の画像を表示部に表示する場合には、小さな画像に変換する（縮小表示する）か、横スクロール操作で全体を見るようにしなくてはならない。
【０００６】
一方、従来から種々の折り畳み型携帯電話機およびそれに関連する技術的思想が提案されている。例えば、特開２００１−１５６８９３号公報（以下、「先行技術文献１」と呼ぶ）は、文字が読み易く且つ入力も容易な「通信機器の表示システム」を開示している。この先行技術文献１では、縦長の液晶表示部を有する通信機器の表示システムに、通信機器のユニットとして、液晶表示部を縦長から横長に、又はこの逆に回転させる表示ユニット部と、この表示ユニット部の回転に伴って縦長から横長に、又はこの逆に液晶表示部の表示を切換える表示切換部とを備えている。
【０００７】
また、特開２０００−２７００６９号公報（以下、「先行技術文献２」と呼ぶ）は、カメラ部のレンズと表示部の液晶面が対向する状態で収納し、双方共に露出しない形で持ち歩きできる「デジタルカメラ付き携帯情報端末」を開示している。この先行技術文献２に開示されたデジタルカメラ付き携帯情報端末は、撮影手段を備える撮影部と、表示手段を備える表示部と、その表示部を回転可能にする機構を少なくとも１つ備えるヒンジ部とを有する。撮影部あるいは表示部の回転支持部を回転軸回りに回動させた時、撮影部の撮影手段（レンズ）と表示部の表示手段（液晶）が対向する状態、つまり折り畳んだ形状で露出しないように収納できる。つまり折り畳んだ形状で露出しないように収納できるので、レンズ、液晶面のゴミの付着、傷、破損、故障などが避けられる。
【０００８】
特開２００１−３２０４６３号公報（以下、「先行技術文献３」と呼ぶ）は、折り畳み可能な携帯端末に撮像カメラを設けて映像及び音声の伝送可能としたものに於いて、撮影カメラでの自分自身を撮像する場合と、外部被写体を撮像する場合に共に表示装置でのモニタを可能とした「携帯端末装置」を開示している。この先行技術文献３では、携帯情報端末の筐体本体に対し、リッド部を折り畳み可能とすると共に筐体本体に対し、回動可能としている。そして、筐体本体の背面或いは側面に固定させた撮像カメラに対し、撮像状態に対応して、リッド部に設けた表示装置を回転させて、モニタ可能にしている。
【０００９】
また、特開平９−１１６８８２号公報（以下、「先行技術文献４」と呼ぶ）は、会話の雰囲気を損なわずに、円滑な会話を行なえるようにした「オーディオビジュアル通信端末装置」を開示している。この先行技術文献４では、２台のビデオカメラ装置をビデオモニタ装置の左右に配置し、それぞれのビデオカメラ装置の画像を中央で合成するようにしている。これにより、被写体の視線のずれが相殺され、始点が画像中央に定まり、適切に通話できるようにしている。
【００１０】
さらに、特開平１１−３９１３１号公報（以下、「先行技術文献５」と呼ぶ）は、表示画像を縦長および横長のどちらの表示器状態に適したものとするかを自動家定し、見易い状態での画像表示をユーザの操作を介することなしに常に行うことを可能とした「移動情報通信端末装置」を開示している。この先行技術文献５では、複数の動作モードのそれぞれに対応付けて表示器の使用向きを示した表示器向き情報を表示器向き情報記憶領域に記憶している。そして、実行中の動作モードを動作モード判定手段によって判定し、表示器に表示させるべき画像を、表示器向き情報にて前記判定された動作モードに対応付けれた使用向きで表示器を使用するのに適した所定の画像として表示するように画像表示制御手段が表示制御を行っている。
【００１１】
特開平１０−１５５０１３号公報（以下、「先行技術文献６」と呼ぶ）は、複数に分離された筐体と、分離された筐体を構造的および電気的に接続するための着脱可能なコネクタとから構成され、用途に適合した種類と形状のコネクタが選択可能な「携帯通信機」を開示している。この先行技術文献６において、携帯電話機本体は上部筐体と下部筐体に分割され、上部筐体と下部筐体とはコネクタにより接合される。上部筐体の前面には受話部と表示部が設けられ、下部筐体の前面にはキー操作部と送話部が設けられている。上部筐体と下部筐体の回路基板上にはコネクタ接続部があり、コネクタの接続部が接続される。上部筐体と下部筐体にはスリットがあり、接続部の形状と規格は統一されているので、回転型コネクタ、直線型コネクタ、屈曲型コネクタなどを任意に選択して接続することが可能である。
【００１２】
【発明が解決しようとする課題】
上述した先行技術文献１乃至６には、次に述べるような問題点がある。
【００１３】
先行技術文献１は、文字が読み易く且つ入力も容易にするために、単に、表示画面（表示ユニット）を回転することにより、表示画面を縦長から横長に表示変換するようにした技術的思想を開示しているに過ぎない。先行技術文献１では、携帯情報端末がカメラ部を備えている場合に、そのカメラ部で撮像された画像情報をどのようにして表示画面に表示するかについては何ら開示していない。
【００１４】
先行技術文献２は、カメラ部のレンズと表示部の液晶面が対向する状態で収納できるようにした技術的思想を開示しているに過ぎない。すなわち、先行技術文献２は、表示画面を縦長から横長又はこの逆に回転するという思想については一切示唆していない。
【００１５】
また、先行技術文献３は、撮像カメラで自分自身を撮像した場合と外部被写体を撮像する場合の双方で、表示画面でのモニタを可能とした技術的思想を開示しているに過ぎない。すなわち、先行技術文献３は、表示画面を縦長又は横長に変えるという思想について何ら開示せず、さらに撮像カメラを一台だけ備えた場合についてしか開示していない。
【００１６】
先行技術文献４は、２台のビデオカメラ装置をビデオモニタ装置の左右に固定的に配置して、それぞれのビデオカメラ装置で撮像された画像を中央で合成する技術的思想を開示している。すなわち、先行技術文献４そのものの目的は、会話の雰囲気を損なわずに、円滑な会話を行うことにあって、先行技術文献４は、２台のビデオカメラ装置で会話をしている自分自身を撮像することを前提とした技術的思想である。そして、先行技術文献４では、その従来技術として、３次元（３Ｄ）画像処理について開示している。しかしながら、先行技術文献４では、２台のビデオカメラ装置はビデオモニタ装置の左右に固定的に配置されており、ビデオカメラ装置をビデオモニタ装置に対して移動可能に配置することについては何ら開示していない。
【００１７】
また、先行技術文献５は、ユーザの操作を介することなく、表示画像を縦長および横長のどちらの表示器状態に適したものとするかを自動決定する技術的思想を開示しているに過ぎない。すなわち、先行技術文献５は、表示画面はそのままで「表示画像」それ自体を縦長か横長にする思想であって、前述した先行技術文献１のように「表示画面」を縦長から横長又はこの逆に回転するという思想ではない。
【００１８】
先行技術文献６は、コネクタを取り替えることにより、携帯通信機を一体型と折り畳み型との間で自由に変えることを可能にした技術的思想を開示しているに過ぎない。すなわち、先行技術文献６でも、「表示画面」を縦長と横長との間で自由に変えるという思想ではない。
【００１９】
したがって、本発明の目的は、表示画面それ自体を縦長又は横長に配置可能とすることより映像を縦長又は横長に表示変換できるだけでなく、種々の画像処理をも行えるようにした折り畳み型携帯電話機を提供することにある。
【００２０】
具体的には、本発明による折り畳み型携帯電話機は、配置変換構造を有することで、デュアルカメラによる３Ｄ画像処理（撮影/受信（再生））、縦横画像切替処理（横長コンテンツ受信（再生）時に回転させると自動的に横画面表示に切り替わる）等を容易に実現し、利用者の利便性を向上させる折り畳み型携帯電話機を提供するものである。
【００２１】
【課題を解決するための手段】
本発明によれば、操作部を有する下側ユニットと、表示部を有する上側ユニットと、下側ユニットと上側ユニットとを開閉自在に結合するヒンジ部と、複数のカメラ部と、電話機の各部の動作を制御する制御部とを有する折り畳み型携帯電話機において、表示部は下側ユニットに対して縦長状態又は横長状態となるように配置転換可能であり、制御部は、表示部の配置転換に応じて複数のカメラ部の一方又は複数を動作させるように、制御することを特徴とする折り畳み型携帯電話機が得られる。
【００２２】
上記本発明の折り畳み型携帯電話機において、表示部が縦長状態にあるか横長状態にあるかを検出する検出手段を備えてよい。この場合、上記制御部は、検出手段からの検出信号に応じて、表示画面の向きに合わせて複数のカメラ部で撮像された表示内容を変換して表示部に表示する表示変換手段を有することが好ましい。
本発明の第１の態様によれば、上記折り畳み型携帯電話機において、上側ユニットは、表示部ユニットと、支持部ユニットと、表示部ユニットと支持部ユニットとを電気的かつ構造的に結合すると共に表示部ユニットを支持部ユニットに対して回転可能とする回転機構とを有する。この場合、表示部が縦長状態にある場合に、表示部ユニットを回転機構を用いて略９０°回転することによって表示部を横長状態にすることができる。また、回転機構の代わりに、表示部ユニットと支持部ユニットとを電気的かつ構造的に結合すると共に表示部ユニットを支持部ユニットに対して回転・スライド可能とする回転／スライド機構を備えても良い。この場合、表示部が縦長状態にある場合に、表示部ユニットを回転／スライド機構を用いて略９０°回転してスライドすることによって表示部を横長状態にすることができる。
【００２３】
上記本発明の第１の態様による折り畳み型携帯電話機において、上記検出手段としては、表示部ユニットに配設されたマグネットと、支持部ユニットに配設された複数個の磁気センサとの組み合わせを使用することができる。
【００２４】
本発明の第２の態様によれば、上記折り畳み型携帯電話機において、ヒンジ部は上側ユニットを着脱自在に接続するヒンジ型コネクタである。このヒンジ型コネクタは上側ユニットと接続するためのコネクタ側接続部を有する。上側ユニットはその下部側面および側方側面にコネクタ側接続部と接続するための複数のユニット側接続部を持つ。コネクタ側接続部と接続するユニット側接続部を変えることによって、表示部の縦長状態と横長状態とを切換えることができる。
【００２５】
また、上記折り畳み型携帯電話機において、表示部が横長状態にあってその表示部の近傍左右に一対の正面カメラ部が配置されたときに、一対の正面カメラ部により撮像された画像を３次元画像処理する３次元画像処理手段を更に有することが好ましい。さらに、上側ユニットは、その背面に背面カメラ部を更に備えても良い。上側ユニットの背面に備える代わりに、この背面カメラ部をヒンジ型コネクタの背面に備えても良い。
【００２６】
【作用】
本発明による折り畳み型携帯電話機は、表示部を縦長状態又は横長状態となるように配置転換可能とすることで、デュアルカメラによる３Ｄ画像処理（撮影/受信（再生））、縦横画像切替処理（横長コンテンツ受信（再生）時に回転させると自動的に横画面表示に切り替わる）等を容易に実現するものである。
【００２７】
【発明の実施の形態】
以下、本発明の実施の形態について図面を参照して詳細に説明する。
【００２８】
図面を参照して、本発明の第１の実施の形態による折り畳み型携帯電話機について説明する。図１（ａ）は本発明の第１の実施の形態に係る折り畳み型携帯電話機を閉じた状態の側面図である。図１（ｂ）は本発明の第１の実施の形態に係る折り畳み型携帯電話機を閉じた状態の正面図である。図１（ｃ）は本発明の第１の実施の形態に係る折り畳み型携帯電話機を開いた状態の側面図である。図２（ａ）は本発明の第１の実施の形態に係る折り畳み型携帯電話機を開いた状態の正面図である。図２（ｂ）は本発明の第１の実施の形態に係る折り畳み型携帯電話機を開いた状態で、かつ表示部ユニットを反時計回りＣＣＷに略９０°回転させて表示部を横長状態としたときの正面図である。図２（ｃ）は本発明の第１の実施の形態に係る折り畳み型携帯電話機を開いた状態で、かつ表示部ユニットを時計回りＣＷに略９０°回転させて表示部を横長状態としたときの正面図である。図２（ｄ）は図２（ｂ）の背面図である。また、図３は本発明の第１の実施の形態による折り畳み型携帯電話機を開いた状態の斜視図を示す。
【００２９】
図示の折り畳み型携帯電話機１０は、図３に示されるように、操作部１２を有する下側ユニット２０と、表示部１１を有する上側ユニット３０と、下側ユニット２０及び上側ユニット３０を開閉自在に結合し、かつ適宜の接続手段により電気的に接続するヒンジ部１３とから主に構成されている。
【００３０】
下側ユニット２０の一主表面（操作面）２０ａには、この折り畳み型携帯電話機１０の持つ機能を利用するための複数の操作キーより構成される操作部１２や利用者の指紋の読み取りを行なう指紋認証部１４が配設されている。更に、同じ操作面２０ａの先端部分には、送話部（マイクロホン）１６（マイクロホンの開口部）が配置されている。
【００３１】
一方、上側ユニット３０は、表示部ユニット３２と支持部ユニット３４とから主に構成される。表示部ユニット３２及び支持部ユニット３４は、適宜の回転／スライド機構（後述する）を介して電気的かつ構造的に結合されている。
【００３２】
図４に回転／スライド機構４０の構成を示す。図４（ａ）は図１（ｃ）の断面図である。図４（ｂ）は回転／スライド機構４０を示す正面図である。但し、図４（ｂ）では回転軸４４を省略している。図４（ｃ）は図４（ａ）の回転／スライド機構４０を拡大して示す拡大断面図である。
【００３３】
図４（ａ）に示されるように、回転／スライド機構４０は、表示部ユニット３２と支持部ユニット３４との間に配置されている。図４（ｃ）に示されるように、表示部ユニット３２の背面３２ｂには円形穴３２ｂ−１が空けられ、支持部ユニット３４の正面３４ｂには縦長の長穴３４ｂ−１が空けられている。さらに、図４（ｃ）に示されるように、支持部ユニット３４の正面３４ｂの内側壁には円形穴４２−１を持つスライド板４２が配置されている。このスライド板４２は、図４（ｂ）に示されるように、支持部ユニット３４の正面３４ｂの内側壁に形成された縦長溝３４ｂ−２中に上下方向にスライド可能に嵌合されている。すなわち、スライド板４２の正面（スライド面）４２ａは支持部ユニット３４の正面３４ｂの内側壁に摺接している。
【００３４】
回転／スライド機構４０は、上記スライド板４２と、円形穴３２ｂ−１、長穴３４ｂ−１、および円形穴４２−１を貫通して配置された、中空の円筒型の回転軸４４とを有する。回転軸４４の両端４４ａおよび４４ｂは、図４（ｃ）に示されるように、半径方向外側に曲げられてフランジ部を構成している。すなわち、一方のフランジ部４４ａは表示部ユニット３２の背面３２ｂの内側壁に回動可能に当接し、他方のフランジ部４４ｂはスライド板４２の背面４２ｂに回動可能に当接している。
【００３５】
このような構造によれば、図２（ａ）に示されるように、表示部１１が縦長状態であったのを、回転／スライド機構４０によって表示部ユニット３２を反時計回りＣＣＷに略９０°回転して下方Ｓにスライドさせることにより、図２（ｂ）に示されるように、表示部１１を横長状態にすることができる。また、図２（ａ）に示されるように、表示部１１が縦長状態であったのを、回転／スライド機構４０によって表示部ユニット３２を時計回りＣＷに略９０°回転して下方Ｓにスライドさせることにより、図２（ｃ）に示されるように、表示部１１を横長位置にすることができる。また、表示部１１を縦長状態から横長状態にする場合、表示部ユニット３２を回転するだけでなくスライドをもさせているので、表示部１１が横長状態においてコンパクトに出来、見栄えが良いという利点がある。
【００３６】
本発明の第１の実施の形態では、表示部１１の縦長状態と横長状態との切換を、回転／スライド機構４０を用いて表示部ユニット３２を回転・スライドすることにより行っているが、単に回転機構（図示せず）を用いて表示部ユニット３２を回転（回動）することによって行っても良い。
【００３７】
なお、回転軸４４は中空であり、この内部を、表示部ユニット３２と支持部ユニット３４とを電気的に接続するための配線（図示せず）が通る。
【００３８】
表示部ユニット３２の一主表面（表示面）３２ａには、略矩形をした表示部１１が配設されている。また、表示面３２ａの先端部分には受話部１５（スピーカの開口部）が配設されている。表示部１１が縦長状態である場合、表示部１１の上下には、一対の正面カメラ部１７ａ及び１７ｂが配設されている。この一対の正面カメラ部１７ａ及び１７ｂは、表示部ユニット３２を回転／スライド機構４０により回転・スライドすることによって表示部１１が横長状態となった際には、表示部１１の左右水平に位置するように配設される。更に、表示部ユニット３２の他主表面（背面）３２ｂには、背面カメラ部１８（図２（ｄ））が配設されている。また、支持部ユニット３４の表示面との反対面（背面）３４ａには小形の副表示器１９が設けられている。
【００３９】
次に、図１乃至図４を参照して、本発明の第１の実施の形態による折り畳み型携帯電話機１０の動作について説明する。
【００４０】
本発明の第１の実施の形態による折り畳み型携帯電話機１０によれば、インターネット等のブラウザ機能、電子メール機能（メール作成及び受信メール表示等）、スケジュール管理機能等のアプリケーション起動時、或いは、音声・画像の記録時やコンテンツ再生（受信）時等において、表示部１１を回転／スライド機構４０により図２（ｂ）又は図２（ｃ）に示されるように回転・スライドさせて横長の表示部１１として用いることができる。これにより、表示画面を縦長に使用した場合（図２（ａ））よりも、表示情報を見易くすることができる。
【００４１】
すなわち、表示を伴う所定の機能を利用する際に、利用者が希望すれば、図２（ａ）に示す状態から表示部１１を有する表示部ユニット２２を回転／スライド機能４０により回転・スライドさせて図２（ｂ）又は図２（ｃ）に示す状態とすることで、表示部１１を横長の表示装置として用いることができる。この際、後述する制御部が表示部１１が横長状態になったことを検出し、横長になった表示画面の向きに合わせて表示内容を適宜変換して表示部１１に表示する。
【００４２】
次に、図５を参照して、上記機構に対応した本発明の第１の実施の形態に係る携帯電話機の電気回路部等について説明する。
【００４３】
図５の回路ブロック図に示すように、図示の携帯電話機１０は、アンテナ１０４、ＲＦ回路１０５、変復調回路１０６、ベースバンド処理回路１０７、コーディック回路１０８、制御部１０９、マイクロホン１６、操作部１２、そして表示部ユニット３２の位置を検出するための３個の磁気センサ（ホール素子）１１１ａ、１１１ｂ、１１１ｃを含み構成されている。これらの各機能部は、下側ユニット２０内に実装されている。
【００４４】
上記制御部１０９は、各磁気センサ１１１ａ〜１１１ｃの出力に基づき表示部ユニット３２の回転角度（回転位置）を判別して回転角度検出信号を出力する回転角度検出部１１２と、表示部ユニット３２を含む上側ユニット３０の下側ユニット２０に対する開閉状態を検出する開閉検出部１１３と、後述する画像処理回路１１５からの画像信号を表示する制御および開閉検出部１１３の出力を反映させた表示部１１及び副表示部１９の表示切換を実行する表示制御部１１４と、表示部ユニット３２と回転操作とカメラ制御動作に対応した画像処理を実行する画像処理回路１１５と、正面側のカメラ部１７ａ、１７ｂと背面側のカメラ部１８に接続され、表示部ユニット３２の回転角度検出信号に対応したカメラ入出力制御を実行するカメラ入出力制御回路１１６とを有している。
【００４５】
なお、ＲＦ回路１０５は、図示しない受信回路と、送信回路と、周波数シンセサイザとを有している。操作部１２は、周知の送信キー、英字／カナ／漢字／数字の変換キー、電源のオン／オフキー、カーソル操作を行う方向指示キー（スクロールキー），カメラのオンオフを実行するためのキー等である。
【００４６】
更に、本発明の第１の実施の形態に係る携帯電話機１０は、スピーカ１５、主画面となる表示部（液晶ディスプレイ：ＬＣＤまたはＥＬ素子）１１、副表示器１９を含み構成されている。
【００４７】
本発明の第１の実施の形態における表示部ユニット３２の姿勢（回転角度、回転位置）を検出するための前述磁気センサ群１１１ａ〜１１１ｃについて詳述する。図６は、本発明の第１の実施の形態に係る携帯電話機１０に使用される磁気センサ群１１１ａ〜１１１ｃの配置を説明するための背面側から見た模式図である。図６に示すように、表示部ユニット３２の背面３２ｂには、マグネットＭＧが配置されている。一方、支持部ユニット３４の正面３４ｂには、３個の磁気センサ１１１ａ〜１１１ｃが配設されている。
【００４８】
図６に示されているように、表示部１１が縦長状態にあるとき（図２（ａ）の状態）には、マグネットＭＧと磁気センサ１１１ａとが互いに対向している。すなわち、磁気センサ１１１ａがマグネットＭＧの磁気を検出することにより、表示部１１が縦長状態にあることを検出することができる。この状態から、上述した回転／スライド機構４０により表示部ユニット３２を反時計回りＣＣＷに略９０°回転してスライドさせた状態（図２（ｂ）の状態）にすると、マグネットＭＧが磁気センサ１１１ｂと対向する。すなわち、磁気センサ１１１ｂがマグネットＭＧの磁気を検出することにより、表示部１１が縦長状態に対して反時計回りに略９０°回転した横長状態にあることを検出することができる。一方、図６に示された状態から、上述した回転／スライド機構４０により表示部ユニット３２を時計回りＣＷに略９０°回転してスライドさせた状態（図２（ｃ）の状態）にすると、マグネットＭＧが磁気センサ１１１ｃと対向する。すなわち、磁気センサ１１１ｃがマグネットＭＧの磁気を検出することにより、表示部１１が縦長状態に対して時計回りに略９０°回転した横長状態にあることを検出することができる。
【００４９】
なお、本発明の第１の実施の形態では、表示部ユニット３２の回転角度位置を磁気センサを用いて検出しているが、それに限定されないのは勿論である。例えば、リードスイッチや光学センサなどの他のセンサを用いても良いのは勿論である。
【００５０】
図１（ａ）、（ｂ）に示すように、下側ユニット２０に対して上側ユニット３０の表示面３２ａが対向する向きで折り畳んだ状態では、従来の携帯電話機を折り畳んだ状態と全く同様で、全体が携行に便利なようにコンパクトになる。すなわち、開閉検出部１１３の開閉検出により表示制御部１１４が表示部１１、副表示器１９を制御する。すなわち、開いたときには、表示部１１に情報が表示され、閉じたときには副表示器１９に、最小範囲の情報が表示されるよう制御される。また、開いた状態ではマイクロホン１６とスピーカ１５による通話が可能となる。
【００５１】
次に、図２（ｂ）に示すように、図２（ａ）の状態から表示部ユニット３２を反時計回りＣＣＷに略９０度回動させた状態では、表示部１１は横長となる。なお、図２（ｃ）に示すように、時計回りＣＷに回動することでも表示部１１を横長にできる。
【００５２】
表示部ユニット３２がこのような位置関係にある場合には、これを前述した回転角度検出部１１２がこの位置関係を感知し、対応して画像処理回路１１５が横長画面に適した画像信号を発生し表示制御部１１４が表示部１１に表示すべき表示内容を横長に（表示内容の左右を表示部１１の長辺方向として）表示する。このとき操作部１２のうちで方向キー（カーソルキー）等、操作に対応した処理に方向性があるものについては、対応処理内容を表示方向に適合させる。
【００５３】
この図２（ｂ）又は図２（ｃ）の状態では、横長の表示面により、大量の文字情報の確認が容易に行え、また横長画像を表示した場合に見易い。このように、本発明の第１の実施の形態による携帯電話機１０は、開いた状態で表示部１１を横向きにして表示を見たり、必要に応じて適切な操作をすることができる。
【００５４】
例えば、本発明の第１の実施の形態による折り畳み型携帯電話機１０によれば、表示部ユニット３２の一主表面（表示面）３２ａには、一対の正面カメラ部１７ａ及び１７ｂが配設されている。この一対の正面カメラ部１７ａ及び１７ｂは、表示部ユニット３２の回転／スライド機構４０により表示部１１が横長状態となった際には左右水平に位置するように配設される。その結果、３Ｄ画像処理（左右一対の正面カメラ部１７ａ及び１７ｂによる３Ｄ撮影）に適した位置への変形を容易に行なえる。尚、３Ｄ画像処理については後述する。
【００５５】
また、本発明の第１の実施の形態による折り畳み型携帯電話機１０によれば、表示部ユニット３２の他主表面（背面）３２ｂには図２（ｄ）に示されるように背面カメラ部１８が配設されている。この背面カメラ部１８により横画像撮影を容易に行なうことができる。すなわち、従来、横画像撮影を行なおうとした場合、機器を横にして撮影する必要があった（この場合、操作関係も横状態で行なう必要があった）。これに対して、本発明の第１の実施の形態では、表示部ユニット３２を回転することにより、簡易に横画像撮影を行なうことができる。
【００５６】
さらに、一対の正面カメラ部１７ａ及び１７ｂ、及び背面カメラ部１８は、後述するように、利用者による任意の設定により、表示部ユニット３２の係止位置（配置状態）により適宜選択される得る。例えば、図２（ａ）の状態では一方の正面カメラ部１７ａ及び背面カメラ部１８を、図２（ｂ）の状態では一対の正面カメラ部１７ａ及び１７ｂを、図２（ｃ）の状態では背面カメラ部１８のみを動作させるよう、操作部１２を操作することにより設定することができる。これにより、撮影モード（カメラ選択及び該カメラ選択に伴うキー機能割付け）を容易に行なうことが出来る。
【００５７】
図７に回転角度検出部１１２での表示部ユニット３２の回転位置検出による表示モードの切り換え動作について説明する。図示の例では、３個の磁気センサ１１１ａ〜１１１ｃを備えているので、表示モードを３つのモード（モードａ、モードｂ、モードｃ）に切り換えることができる。
【００５８】
すなわち、図２（ｃ）に示されるように、表示部１１が右に回転（時計回りＣＷに９０°回転）した横長状態にあるとする。この状態を磁気センサ１１１ｃが検出してその磁気検出信号が回転角度検出部１１２に供給される。この磁気右回転検出信号に応答して、回転角度検出部１１２は、表示部１１が右に回転したことを示す右回転検出信号を画像処理回路１１５およびカメラ入出力制御回路１１６へ送出する（ステップＳ１のＹ）。この右回転検出信号に応答して、画像処理回路１１５およびカメラ入出力制御回路１１６は表示モードをモードａに設定する（ステップＳ２）。一方、図２（ｂ）に示されるように、表示部１１が左に回転（反時計回りＣＣＷに９０°回転）した横長状態にあるとする。この状態を磁気センサ１１１ｂが検出してその磁気出信号が回転角度検出部１１２に供給される。この磁気検出信号に応答して、回転角度検出部１１２は、表示部１１が左に回転したことを示す左回転検出信号を画像処理回路１１５およびカメラ入出力制御回路１１６へ送出する（ステップＳ３のＹ）。この左回転検出信号に応答して、画像処理回路１１５およびカメラ入出力制御回路１１６は表示モードをモードｂに設定する（ステップＳ４）。また、図２（ａ）に示されるように、表示部１１が右にも左にも回転していない縦長状態にあるとする。この状態を磁気センサ１１１ａが検出してその磁気検出信号が回転角度検出部１１２に供給される。この磁気検出信号に応答して、回転角度検出部１１２は表示部１１が回転していないこと示す非回転検出信号を画像処理回路１１５およびカメラ入出力制御回路１１６へ送出する（ステップＳ１のＮ、ステップＳ３のＮ）。この非回転検出信号に応答して、画像処理回路１１５およびカメラ入出力制御回路１１６は表示モードをモードｃに設定する（ステップＳ５）。
【００５９】
次に、利用者がモードａ〜ｃとして設定可能なカメラ部の切換とそのときの表示部１１における実際の画像表示の例について説明する。画像表示としては次の４つの画像表示（カメラモード、撮像モード）が考えられる。▲１▼一対の正面カメラ部１７ａ、１７ｂを使用して３Ｄ画像を表示する。▲２▼正面カメラ部１７ａ、１７ｂの一方のみを使用して正面画像を表示する。▲３▼背面カメラ部１８のみを使用して背面画像を表示する。▲４▼正面カメラ部１７ａ、１７ｂの一方と背面カメラ部１８とを使用して正面画像と背面画像とを分割表示する。すなわち、利用者は、操作部１２を操作して、これら４つのカメラモード▲１▼〜▲４▼をモードａ〜ｃのいずれかに選択して設定する。但し、カメラモード▲２▼〜▲４▼は、モードａ〜ｃのいずれにも選択可能であるが、カメラモード▲１▼のみはモードａかモードｂのいずれか一方にしか選択できないことに注意されたい。
【００６０】
次に、３Ｄ画像処理について説明する。ここでは、モードｂとしてカメラモード▲１▼を選択して設定した場合を例に挙げて説明する。すなわち、表示部１１を左に回転した状態（図２（ｂ））のときに、表示部１１に３Ｄ画像を表示するように設定したとする。
【００６１】
３Ｄ画像処理については、例えば、前述した先行技術文献４（特開平９−１１６８８２号公報）に記載されている技術を使用できる。但し、本実施の形態では、３Ｄ画像と通常の画像（２Ｄ画像）とを切り換えて表示する必要がある。
【００６２】
表示部１１は、画面（図示せず）とその前面（すなわち画面と利用者との間）に配設されたマスク（図示せず）とを備えている。画面を縦方向のストライプ状に多数分割し、その分割した画面に左目用画像と右目用画像を交互に表示する。マスクは分割画面の幅に対応したスリットが多数形成されている。
【００６３】
これにより、利用者の左目は、マスクで隠されない左目用画像を見るとともに、利用者の右目は、マスクで隠されない右目用画像を見る。ここで、左目用画像と右目画像が同一被写体を撮影した画像であり、かつ、角度的に若干ずれていると、利用者は立体的な画像を見ているように認識する。
【００６４】
そこで、一方の正面カメラ部１７ａ（左側のカメラ部）から出力される左側映像信号を表示部１１に左目用画像として入力するとともに、他方の正面カメラ部１７ｂ（右側のカメラ部）から出力される右側映像信号を表示部１１に右目用画像として入力すると、表示部１１を見た利用者は、映像を立体的に捉えることができる。
【００６５】
本発明の第１の実施の形態では、マスクとして液晶シャッター（液晶マスク）を使用する。すなわち、３Ｄ画像を表示部１１に表示する場合には、液晶マスクにスリットを多数形成するように液晶マスクを制御し、通常の画像（２Ｄ画像）を表示部１１に表示する場合には、液晶マスクを透明にするように液晶マスクを制御する。この液晶マスクのモード切換は、表示制御部１１４により制御される。これにより、３Ｄ画像と２Ｄ画像とを切り換えて表示することが可能となる。
【００６６】
尚、上述した３Ｄ画像処理は、この技術分野においてパララックス・バリア（パララックス・ステレオグラム）方式と呼ばれている。すなわち、このパララックス・バリア方式は、左眼像および右眼像のペアがストライプ状に並んだ画像の前にこの像に対応したスリットを持つパララックス・バリアを置き、このスリットを通して左眼、右眼にそれぞれ対応した像のみが観察できるようにしたものである。眼鏡を使用しなくとも立体視が可能である。液晶パネルにスリット（薄膜イメージスプリッタ）を配置したものが製品として発売されている。
【００６７】
また、単一画面上で、２Ｄ画像と３Ｄ画像とを切り換え表示可能な表示装置は、例えば、特開平１０−２３２３６６号公報、特開平１０−２２１６４６号公報、特開平９−１０２９６９号公報等に開示されている。
【００６８】
次に、電話機としての機能を用いた音声信号の送受信を行う場合の携帯電話機１０の動作について説明する。アンテナ１０４は、基地局からの信号を受信するとともに、この携帯電話機１０からの信号を送信する。アンテナ１０４により受信された基地局からの信号は、ＲＦ回路１０５の受信回路に供給される。受信回路は、周波数シンセサイザにより指示される周波数の信号を選局し、選局した信号に自機に対する着呼を通知する信号が含まれているか否かを検出する（待ち受け受信）。
【００６９】
受信回路は、自機に対して着呼を通知する信号を検出したときには、着呼があることを制御部１０９に通知する。制御部１０９は、受信回路からの自機に対する着呼があることの通知を受けて、呼び出しベルやバイブレータ等の図示しない報知手段またはスピーカ１５を駆動させて自機に着呼があることをユーザに通知する。
【００７０】
本実施の形態の携帯電話機１０では、着呼時に上側ユニット３０と下側ユニット２０を開いて通話ボタンの押下により応答すると無線回路が接続され、発呼先から送信されてきた音声信号は、ＲＦ回路１０５を介して変復調回路１０６に供給される。
【００７１】
そして、変復調回路１０６は、発呼先から送信されてきた音声信号を復調し、復調した信号をベースバンド処理回路１０７に供給する。ベースバンド処理回路１０７は、復調した信号から元のベースバンド信号を取り出し、これをコーディック回路１０８に供給する。コーディック回路１０８は、供給されたベースバンド信号をＤ／Ａ変換した後、これをスピーカ（受話器）１５に供給する。これによりスピーカ１５からは、発呼先から送信されてきた音声が放音される。コーディック回路１０８は、携帯電話機１０から送信するマイクロホン１６で集音された音声信号のＡ／Ｄ変換処理をも行う。これによりユーザは直ちに通話を行うことができる。
【００７２】
通話が終了したユーザが所定終了操作キーによりオフフック操作を行うことで終話処理が行われる。
【００７３】
次に、この携帯電話機１０においてキャラクタデータや画像データ（静止画像又は動画像）の送受信を行う場合の動作について説明する。携帯電話機１０は、選局した信号に自機に対してキャラクタデータや画像データの送信があることを示す信号が含まれているか否かを監視する（待ち受ける）。自機に対してキャラクタデータや画像データが送信されてきた場合、ベースバンド処理回路１０７からの受信データに基づく情報を画像処理回路１１５に一旦蓄積し、さらに表示制御部１１４を経由して表示部１１に表示する。
【００７４】
すなわち、発呼先から送信されてきたキャラクタデータや画像データは、ＲＦ回路１０５を介して、変復調回路１０６に供給され復調されて、ベースバンド処理回路１０７に供給される。ベースバンド処理回路１０７は、供給された信号から、キャラクタデータなどの送信されてきたデータを取り出して、これを制御部１０９に供給する。
【００７５】
制御部１０９の画像処理回路１１５は、図示はしないが、ＣＰＵを含み構成されていて、ＲＯＭとＲＡＭとＶＲＡＭ（ビデオＲＡＭ）などを備えている。ＲＯＭには実行プログラムや各種の処理に必要なデータ、或いは、文字フォントデータなどが記録されている。ＲＡＭは作業領域として使用される。ＶＲＡＭは表示部１１に情報を表示するためのものである。
【００７６】
画像処理回路１１５は、ベースバンド処理回路１０７から供給されるデータに基づいて、表示部１１に（また、必要に応じて副表示器１９に）表示すべきキャラクタ情報は画像信号を形成し、これを表示制御部１１４を介して表示部１１に表示する。
【００７７】
また、この携帯電話機１０は、自機においてメッセージデータを作成し、これを送信することができる。すなわち、この実施の形態の携帯電話機１０の場合、操作部１２に設けられた、０〜９、＊、＃などの各ダイヤル操作キーには、英字（アルファベット文字）やカタカナ文字が割り当てられていて、英字／カナ／漢字／数字の変換キーを備えている。そして、これらダイヤル操作キー群や変換キーを操作することにより、メッセージデータを入力し、ユーザからの指示に応じた相手先に送信することができる。
【００７８】
図５に示す携帯電話機１０では、通話中でも相手の画像の受信および表示と自分の画像の送信ができるよう、音声信号と画像信号をデュアル受信することができる。これにより、テレビ携帯電話としての使い方が可能となる。この際、一対の正面カメラ部１７ａ及び１７ｂの一をテレビ電話用カメラ（画像情報撮影用）として用いることができる。この場合、利用者は操作部１２を操作して、左右の撮影方向のうち、電話相手先に応じて、左右の一方向の正面カメラ部を任意に選択するようしてもよい。
【００７９】
尚、本発明は、上述した実施の形態に限定されず、本発明の要旨を逸脱しない範囲内で種々の変更が可能なのはいうまでもない。例えば、上述した実施の形態では、表示部１１を縦長位置から横長位置に又はこの逆に切換える場合、支持部ユニット３４に対して表示部ユニット３２を回転（回転・スライド）させることにより行っているが、後述する実施の形態のように、下側ユニットに対する上側ユニットの接続状態を変えることによっても行うことができる。
【００８０】
次に、図８を参照して、本発明の第２の実施の形態による折り畳み型携帯電話機１０Ａについて説明する。図８（ａ）は本発明の第２の実施の形態に係る折り畳み型携帯電話機１０Ａを閉じた状態の側面図である。図８（ｂ）は本発明の第２の実施の形態に係る折り畳み型携帯電話機１０Ａを閉じた状態の正面図である。図８（ｃ）は本発明の第２の実施の形態に係る折り畳み型携帯電話機１０Ａを開いた状態の側面図である。図８（ｄ）は本発明の第２の実施の形態に係る折り畳み型携帯電話機１０Ａを開いた状態の正面図である。図８（ｅ）は本発明の第２の実施の形態に係る折り畳み型携帯電話機１０Ａを開いた状態で、かつ表示部１１を横長状態としたときの分解正面図である。
【００８１】
図示の折り畳み型携帯電話機１０Ａは、操作部１２を有する下側ユニット２０Ａと、表示部１１を有する上側ユニット３０Ａと、下側ユニット２０Ａ及び上側ユニット３０Ａを開閉自在に結合すると共に、下側ユニット２０Ａに対する上側ユニット３０Ａの接続状態を変えて接続可能なヒンジ型コネクタ１３Ａとから主に構成されている。
【００８２】
図８（ｅ）に示されるように、これら３つのコンポーネント２０Ａ、３０Ａ、および１３Ａは着脱自在である。ヒンジ型コネクタ１３Ａは、上側ユニット３０Ａと接続するための上側接続部１３Ａａと、下側ユニット２０Ａと接続するための下側接続部１３Ａｂとを有する。一方、上側ユニット３０Ａは、図８（ｄ）の状態において、それぞれ、その下側側面、その左側側面、およびその右側側面に、ヒンジ型コネクタ１３Ａの上側接続部１３Ａａを挿入するための第１乃至第３の上側開口スリット３０Ａａ、３０Ａｂ、および３０Ａｃがある。下側ユニット２０Ａの上部側面にはヒンジ型コネクタ１３Ａの下側接続部１３Ａｂを挿入するための下側開口スリット２０Ａａがある。
【００８３】
図８（ｅ）の第１乃至第３の上側開口スリット３０Ａａ、３０Ａｂ、および３０Ａｃは、それぞれスリット内部にヒンジ型コネクタ１３Ａの上側接続部１３Ａａに接続されるコネクタ（図示せず）を有する。
【００８４】
このような構造によれば、ヒンジ型コネクタ１３Ａの上側接続部１３Ａａを、上側ユニット３０Ａの第１乃至第３つ上側開口スリット３０Ａａ、３０Ａｂ、３０Ａｃのいずれかに１つに挿入することによって、表示部１１を縦長状態にするか（図８（ｄ））又は横長状態にするか（図８（ｅ））を切換えることができる。すなわち、ヒンジ型コネクタ１３Ａの上側接続部１３Ａａを上側ユニット３０Ａの第１の上側開口スリット３０Ａａに挿入すれば、図８（ｄ）に示されるように、表示部１１を縦長状態にすることができる。一方、ヒンジ型コネクタ１３Ａの上側接続部１３Ａａを上側ユニット３０Ａの第２の上側開口スリット３０Ａｂに挿入すれば、図８（ｅ）に示されるように、表示部１１を横長状態にすることができる。さらに、ヒンジ型コネクタ１３Ａの上側接続部１３Ａａを上側ユニット３０Ａの第３の上側開口スリット３０Ａｃに挿入しても、表示部１１を横長状態にすることができる。
【００８５】
尚、図示の携帯電話機１０Ａでは、背面カメラ部１８がヒンジ型コネクタ１３Ａの背面に配設されている。
【００８６】
図９に、本発明の第２の実施の形態による携帯電話機１０Ａの電気回路部等を示す。図示の携帯電話機１０Ａは、回転角度検出部１１２の代わりにコネクタ接続検出部１１２Ａが使用され、磁気センサ１１１ａ〜１１１ｃがない点を除いて、図５に示した携帯電話機１０と同様の構成を有する。図５に示したものと同様の機能を有するものには同一の参照符号を付してある。
【００８７】
すなわち、第２の実施の形態による携帯電話機１０Ａでは、第１の実施の形態による携帯電話機１０とは違って表示部ユニット３２が回転しないので、第１の実施の形態では必要であった３個の磁気センサ１１１ａ〜１１１ｃが不要である。
【００８８】
尚、この第２の実施の形態では、開口スリットが表示部１１側に、接続部１３Ａａがヒンジ型コネクタ１３Ａにあるが、その接続構造は逆であっても良い。
【００８９】
【発明の効果】
以上説明したように、本発明によれば、折り畳み型携帯電話機において、表示を伴う所定の機能を利用する際に、利用者が希望すれば、表示部を横長の表示装置として用いることができるので、持ち運びする際には従来の大きさ、形態を維持したままで、また、携帯電話機の適宜の機能を利用する際には、表示装置を縦長、或いは横長に自在に変化させた状態で使用できる、という優れた効果を奏する。
【００９０】
また、本発明によれば、表示部ユニットの一主表面（表示面）には、一対の正面カメラ部が配設されているので、表示部を横長とする（一対の正面カメラ部を左右水平に位置するようにする）という簡易な動作により、３Ｄ画像処理を容易に行なうことができる、という優れた効果を奏する。
【００９１】
さらに、本発明によれば、表示部ユニットの一対の正面カメラ部の一方のカメラを、テレビ電話使用時には、電話相手先に応じて任意に選択するようにしているので、左右の表情の違い（例えば、ビジネス用（厳しい表情）/プライベート用（やさしい表情）等）を使い分けることができる、という優れた効果を奏する。
【図面の簡単な説明】
【図１】本発明の第１の実施の形態による折り畳み型携帯電話機を、閉じた状態の側面図（ａ）、閉じた状態の正面図（ｂ）、開いた状態の側面図（ｃ）である。
【図２】本発明の第１の実施の形態による折り畳み型携帯電話機を、開いた状態の正面図（ａ）、開いた状態でかつ表示部ユニットを反時計回りに９０°回転させて表示部を横長状態としたときの正面図（ｂ）、開いた状態でかつ表示部ユニットを時計回りに９０°回転させて表示部を横長状態としたときの正面図（ｃ）、開いた状態でかつ表示部ユニットを時計回りに９０°回転させて表示部を横長状態としたときの背面図（ｄ）である。
【図３】図１および図２に示した折り畳み型携帯電話機を開いた状態の斜視図である。
【図４】本発明の第１の実施の形態による折り畳み型携帯電話機に使用される回転／スライド機構を説明するための図である。
【図５】本発明の第１の実施の形態による折り畳み型携帯電話機の電気回路部を示す回路ブロック図である。
【図６】本発明の第１の実施の形態に係る折り畳み型携帯電話機に使用される磁気センサ群の配置を説明するための背面側から見た模式図である。
【図７】図６に図示された回転角度検出部での表示部ユニットの回転位置検出による表示モードの切り換え動作を説明するためのフローチャートである。
【図８】本発明の第２の実施の形態による折り畳み型携帯電話機を、閉じた状態の側面図（ａ）、閉じた状態の正面図（ｂ）、開いた状態の側面図（ｃ）、開いた状態の正面図（ｄ）、および開いた状態でかつ表示部を横長状態としたときの分解正面図（ｅ）である。
【図９】本発明の第２の実施の形態による折り畳み型携帯電話機の電気回路部を示す回路ブロック図である。
【符号の説明】
１０、１０Ａ    折り畳み型携帯電話機
１１    表示部
１２    操作部
１３    ヒンジ部
１３Ａ    ヒンジ型コネクタ
１３Ａａ    上側接続部
１３Ａｂ    下側接続部
１４    指紋認証部
１５    受話部（スピーカ）
１６    送話部（マイクロホン）
１７ａ，１７ｂ    一対の正面カメラ部
１８    背面カメラ部（第３のカメラ部）
１９    副表示器
２０、２０Ａ    下側ユニット
２０Ａａ    下側開口スリット
３０、３０Ａ    上側ユニット
３０Ａａ、３０Ａｂ、３０Ａｃ    上側開口スリット
３２    表示部ユニット
３２ａ    表示面
３２ｂ    背面
３４    支持部ユニット
４０    回転／スライド機構
１１１ａ，１１１ｂ，１１１ｃ    磁気センサ（ホール素子）
【図１】
0004061473.tif 000002
【図２】
0004061473.tif 000003
【図３】
0004061473.tif 000004
【図４】
0004061473.tif 000005
【図５】
0004061473.tif 000006
【図６】
0004061473.tif 000007
【図７】
0004061473.tif 000008
【図８】
0004061473.tif 000009
【図９】
0004061473.tif 000010